(57)【要約】【課題】清掃が容易であるとともに、長期間の使用に耐える配線機能付き机における閉塞部材を提供すること。【解決手段】天板５の下方に、上方が開口する配線ダクト９を設け、この配線ダクト９の開口部８を可撓性を有する閉塞部材６により覆ってなる配線機能付き机１において、閉塞部材６を、遊端側が薄く基端側が厚く形成されている可撓性を有する軟質部１０と、この軟質部１０の基端側から軟質部１０の遊端側と反対側に延設する硬質部１１とを備える構成とし、硬質部１１を長手方向から挿入可能な嵌合溝１２を有する取付部材７により保持して、この取付部材７を、幕板４の上端に止着させて、配線機能付き机１を構成させる。【選択図】  図２
2004283250.tif 000002
【特許請求の範囲】
【請求項１】
天板の下方に、上方が開口する配線スペースを設け、該配線スペースの開口部を可撓性を有する閉塞部材により覆ってなる配線機能付き机において、
前記閉塞部材を、遊端側が薄く基端側が厚く形成されている可撓性を有する軟質部と、該軟質部の基端側から軟質部の遊端側と反対側に延設する硬質部とを備える構成とし、前記硬質部を長手方向から挿入可能な嵌合溝を有する取付部材により保持して、該取付部材を、前記配線スペースの開口部の側方の部材に止着したことを特徴とする配線機能付き机。
【請求項２】
前記閉塞部材の軟質部の遊端を、下方に向けて湾曲させた請求項１に記載の配線機能付き机。
【請求項３】
前記閉塞部材の硬質部を、水平片と、水平片の軟質部側から下方に向けて延設される垂直片とを備えるものとし、該垂直片から軟質部の基端を延設し、前記垂直片の下端を前記取付部材に当接させた請求項１または２に記載の配線機能付き机。
【請求項４】
前記閉塞部材の軟質部の内部には、空洞が長手方向に沿って形成されている請求項１ないし３の何れかに記載の配線機能付き机。
【請求項５】
前記閉塞部材の軟質部の遊端側の先端が、天板に当接させられるようになっている請求項１ないし４の何れかに記載の配線機能付き机。
【発明の詳細な説明】
【０００１】
【発明の属する技術分野】
本発明は、天板上に載置したＯＡ機器等のコード類を、天板の下方の配線スペースに配線し得るようにした配線機能付き机に関する。
【０００２】
【従来の技術】
この種の机としては、天板の後端部に配線挿通孔を形成し、その部分に着脱可能に取り付けた複数のカバーの一部を取り外して、ＯＡ機器等のコード類を天板の下方の配線ダクトに配線し得るようにしたものや、カバーの一部を薄肉とし、その部分を切除して開口することにより、コード類の配線を可能としたものなどがある。
【０００３】
上述したような、配線挿通孔にカバーを止着したものでは、一部のカバーを取り外したり、薄肉部を切除したりするのが面倒であるとともに、コード類の挿通個所が限定され、ＯＡ機器等から最短距離で配線できないという問題がある。
【０００４】
このような問題を解決するために、本願の出願人らは、配線挿通孔に、可撓性を有する合成樹脂等の繊維を、水平かつ同方向に多数並べて束ねたブラシ状の閉塞部材を設け、任意の位置においてコード類を容易に下方に配線し得るようにした配線機能付き机を案出した。（例えば、特許文献１参照）
【０００５】
【特許文献１】
特開２００２−２８２０５０号公報（第４頁、第５図）
【０００６】
【発明が解決しようとしている課題】
しかしながら、特許文献１にあっては、ブラシ状の閉塞部材を用いているので、ブラシ内にゴミや埃などが入り込み、汚れやすいばかりか、閉塞部材をブラシの清掃のために、机本体から取り外す必要があるので、清掃作業が面倒な場合がある。また、長期間の使用によりブラシの毛先が散るので、ブラシを交換する必要がある。
【０００７】
本発明は、このような問題点に着目してなされたもので、清掃が容易であるとともに、長期間の使用に耐える配線機能付き机における閉塞部材を提供することを目的とする。
【０００８】
【課題を解決するための手段】
上記の目的を解決するために、本発明の配線機能付き机は、天板の下方に、上方が開口する配線スペースを設け、該配線スペースの開口部を可撓性を有する閉塞部材により覆ってなる配線機能付き机において、前記閉塞部材を、遊端側が薄く基端側が厚く形成されている可撓性を有する軟質部と、該軟質部の基端側から軟質部の遊端側と反対側に延設する硬質部とを備える構成とし、前記硬質部を長手方向から挿入可能な嵌合溝を有する取付部材により保持して、該取付部材を、前記配線スペースの開口部の側方の部材に止着したことを特徴としている。
この特徴によれば、可撓性を有する軟質部が、閉塞部材に用いられていることで、閉塞部材の上面に溜まるゴミや埃等の清掃が容易になる。また、この軟質部にあっては、遊端側が薄く、基端側が厚くなるように形成されているので、コード類の挿入時に、軟質部の遊端側を撓ませやすく、かつ基端側を強固に保持できることになるので、閉塞部材が長期間の使用に耐えられるようになる。
【０００９】
本発明の配線機能付き机は、前記閉塞部材の軟質部の遊端を、下方に向けて湾曲させたことが好ましい。
このようにすれば、軟質部の遊端を、下方に湾曲させ易くなり、軟質部の遊端の上方からコード類を挿入させやすくなる。
【００１０】
本発明の配線機能付き机は、前記閉塞部材の硬質部を、水平片と、水平片の軟質部側から下方に向けて延設される垂直片とを備えるものとし、該垂直片から軟質部の基端を延設し、前記垂直片の下端を前記取付部材に当接させたことが好ましい。
このようにすれば、垂直片を閉塞部材に設けることで、厚みのある軟質部の基端側を垂直片に固定できるばかりか、この垂直片の下端を取付部材に当接させることで、閉塞部材の垂れ下がりを防止できる。
【００１１】
本発明の配線機能付き机は、前記閉塞部材の軟質部の内部には、空洞が長手方向に沿って形成されていることが好ましい。
このようにすれば、軟質材を多く利用しなくても、軟質部の断面積を大きくでき、軟質部の水平保持強度を向上させることができる。
【００１２】
本発明の配線機能付き机は、前記閉塞部材の軟質部の遊端側の先端が、天板に当接させられるようになっていることが好ましい。
このようにすれば、配線スペースの開口部が完全に閉塞させられるので、天板上のペンや鉛筆等の小物類を、配線スペース内に落下させないようにできるばかりか、コード類を軟質部の先端と天板とで挟持し、コード類の安易な移動を阻止できる。
【００１３】
【発明の実施形態】
以下、本発明の配線機能付き机の実施例を図面に基づいて説明すると、先ず図１は、本発明の第１実施形態における配線機能付き机の全体像を示す斜視図であり、図２は、閉塞部材及び取付部材を幕板の上部に取り付けた状態の斜視断面図であり、図３は、閉塞部材及び取付部材が幕板に取付前の斜視図であり、図４は、閉塞部材と取付部材と幕板の側断面図である。
【００１４】
図１の符号１は、本発明の適用された配線機能付き机本体である。この机本体１は、左右の脚部２、３と、これら脚部２、３間に装着された幕板４と、両脚部２、３の上部に支持される天板５により構成されている。天板５の後端部には、第１実施形態における閉塞部材６が、幕板４の上端に設けられた取付部材７により取り付けられている。
【００１５】
図２に基づきより詳しく説明すると、天板５と幕板４の間には、所定幅Ｄの開口部８が形成されている。この開口部８の下方には、上方を開口させた配線スペースとしての配線ダクト９が、幕板４の上部内面側に止着され固定されている。
【００１６】
配線ダクト９の上方の開口部８は、閉塞部材６によって覆われている。取付部材７と閉塞部材６は、それぞれ合成樹脂の押し出し一体成形で作られており、長手方向の長さが幕板４の上端の横幅とほぼ同じ長さに形成されている。この閉塞部材６の前半部は、可撓性を有するエラストマー等の材質で形成された軟質部１０で構成され、閉塞部材６の後半部は、ポリプロピレン等の材質で形成された硬質部１１で構成されている。
【００１７】
取付部材７の端縁には、スリット状の嵌合溝１２が、天板５側に開口させられており、閉塞部材６の硬質部１１が、取付部材７の嵌合溝１２に挿設されることで、閉塞部材６は、軟質部１０が天板５側を向くように、取付部材７から延出させた状態で取り付けられる。
【００１８】
更に詳述すると、閉塞部材６の軟質部１０は、上面が平滑な略板状に形成させられており、そのため、軟質部１０の上面に溜まるゴミや埃等の清掃が容易になっている。軟質部１０を構成している材質のエラストマーとは、プラスチックとゴムの中間的性質を持ち、ゴムのように軟らかく、プラスチックと同じ成形法で加工できる材質である。このエラストマーが、閉塞部材６の軟質部１０に用いられていることで、軟質部１０と硬質部１１の一体成形が可能になっているばかりか、軟質部１０の遊端を上下方向に自由に撓ませることができるようになっている。
【００１９】
また、閉塞部材６の軟質部１０先端は、天板５に当接させられており、そのため、開口部８が完全に閉塞させられるので、天板５上のペンや鉛筆等の小物類を配線ダクト９内に落下させないようになっている。天板５に載置したＯＡ機器等から延びるコード類１３は、閉塞部材６の軟質部１０の遊端側の先端と天板５の間より軟質部１０の先端を一部曲げて下方に挿通させることで、コード類１３の安易な移動を阻止し、コード類を配線ダクト９上に安定させて配線できるようになっている。
【００２０】
図３は、幕板４と、取付部材７、閉塞部材６の組立図が示され、幕板４の上面には、ガイド部材１４が、ネジ１５によって取り付けられており、取付部材７の下部には、前記ガイド部材１４と嵌合可能な凹溝１６が、長手方向に沿って形成されている。
【００２１】
閉塞部材６を幕板４に取り付ける際には、先ず、取付部材７の凹溝１６を、幕板４に固着されているガイド部材１４に嵌合させ、続いて取付部材７を、長手方向に摺動させることで、幕板４の上部に取り付ける。次に、閉塞部材６の硬質部１１を、取付部材７の端部から嵌合溝１２に挿入させ、続いて閉塞部材６を、長手方向に摺動させて取付部材７に止着させる。
【００２２】
ここで閉塞部材６の一側端が硬質部１１により形成されているため、取付部材７の嵌合溝１２への挿入時に閉塞部材６が変形せず、挿入し易くなり、かつ閉塞部材６を強固に取付部材７に取り付けできることになる。
【００２３】
図４に示すように、閉塞部材６の軟質部１０は、遊端側が薄く、基端側に行くに従って、徐々に厚みが増すように形成されているので、従ってコード類１３の挿入時に、軟質部１０の遊端側は撓みやすく、かつ基端側は強固に保持されることになり、閉塞部材６が長期間の使用に耐えられるようになっている。
【００２４】
また、軟質部１０の先端には、下方に向けて湾曲する湾曲片１７が形成されており、このように湾曲片１７を形成させたことで、軟質部１０の先端が下方に撓みやすくなるので、軟質部１０の遊端の上方からコード類１３を挿入させやすくなる。
【００２５】
更に、閉塞部材６の硬質部１１は、略板状の水平片１８と、硬質部１１の基端側から垂下されるように延設させた垂直片１９を、長手方向に沿って備えており、垂直片１９を硬質部１１に設けることで、厚みのある軟質部１０の基端側を硬質部１１から延設できるようになっている。硬質部１１の後端側には、水平片１８の上下の幅より厚い保持部２０が、長手方向に沿って形成されている。
【００２６】
取付部材７の嵌合溝１２内部の上下面には、一対の突起条２１ａ、２１ｂが、長手方向に沿って形成されており、これら突起条２１ａ、２１ｂが、閉塞部材６の保持部２０の抜け止めとして機能する。
【００２７】
そして更に、硬質部１１の水平片１８の上下面には、突起条２２ａ、２２ｂが、長手方向に沿って形成されており、この突起条２２ａ、２２ｂが嵌合溝１２上下内面に当接されるので、閉塞部材６をぐらつかすことなく固定できるとともに、閉塞部材６の軟質部１０上のゴミや埃等が、取付部材７の嵌合溝１２内部に入り込むことを防げるようになっている。
【００２８】
また、取付部材７の前面側の下端縁と上面の後端縁には、係合片２３、２４が、下向きに延設されており、係合片２３、２４は、幕板４の上方の前面側と後面側に弾性的に嵌合できるようになっている。前面側の係合片２３の上部には、段部２５が形成されており、閉塞部材６の垂直片１９の下端を段部２５に当接させることで、閉塞部材６が垂れ下がり難くなっている。
【００２９】
次に、第２実施形態に係る配線機能付き机につき、図５を参照して説明する。なお、上記実施形態と同一構成で重複する構成を省略する。
【００３０】
図５は、第２実施形態における閉塞部材２６と取付部材２７と幕板２８の側断面図であり、この閉塞部材２６の軟質部２９の基端側の内部には、空洞３０が長手方向に沿って形成されており、軟質部２９の遊端側は略板状に形成されている。
【００３１】
空洞３０を閉塞部材２６の軟質部２９に設けることで、軟質部２９の断面積を大きくさせることができ、軟質材を多く用いなくても軟質部２９の水平保持強度を向上させることができ、コスト低減が可能となる。軟質部２９の遊端側は、略板状に形成されているので、撓ませやすくなっており、コード類を容易に挿入できるようになっている。
【００３２】
以上、本発明の実施例を図面により説明してきたが、具体的な構成はこれら実施例に限られるものではなく、本発明の要旨を逸脱しない範囲における変更や追加があっても本発明に含まれる。
【００３３】
例えば、上記実施例では、取付部材を幕板の上端に止着されたガイド部材に嵌合させることで、幕板に取り付けさせていたが、取付部材を幕板にネジ等を用いて直に取り付けさせることもできる。
【００３４】
また、取付部材を取り付ける位置は、幕板の上部に限らず、天板の後端側に取り付けて、閉塞部材を取付部材の後面側から延出させ、開口部を覆わせることもできる。
【００３５】
【発明の効果】
本発明は以下の効果を奏する。
（ａ）請求項１に記載の発明によれば、可撓性を有する軟質部が、閉塞部材に用いられていることで、閉塞部材の上面に溜まるゴミや埃等の清掃が容易になる。また、この軟質部にあっては、遊端側が薄く、基端側が厚くなるように形成されているので、コード類の挿入時に、軟質部の遊端側を撓ませやすく、かつ基端側を強固に保持できることになるので、閉塞部材が長期間の使用に耐えられるようになる。
【００３６】
（ｂ）請求項２に記載の発明によれば、軟質部の遊端を、下方に湾曲させ易くなり、軟質部の遊端の上方からコード類を挿入させやすくなる。
【００３７】
（ｃ）請求項３に記載の発明によれば、垂直片を閉塞部材に設けることで、厚みのある軟質部の基端側を垂直片に固定できるばかりか、この垂直片の下端を取付部材に当接させることで、閉塞部材の垂れ下がりを防止できる。
【００３８】
（ｄ）請求項４に記載の発明によれば、軟質材を多く利用しなくても、軟質部の断面積を大きくでき、軟質部の水平保持強度を向上させることができる。
【００３９】
（ｅ）請求項５に記載の発明によれば、配線スペースの開口部が完全に閉塞させられるので、天板上のペンや鉛筆等の小物類を、配線スペース内に落下させないようにできるばかりか、コード類を軟質部の先端と天板とで挟持し、コード類の安易な移動を阻止できる。
【図面の簡単な説明】
【図１】本発明の第１実施形態における配線機能付き机の全体像を示す斜視図である。
【図２】閉塞部材及び取付部材を幕板の上部に取り付けた状態の斜視断面図である。
【図３】閉塞部材及び取付部材が幕板に取付前の斜視図である。
【図４】閉塞部材と取付部材と幕板の側断面図である。
【図５】第２実施形態における閉塞部材と取付部材と幕板の側断面図である。
【符号の説明】
１                机本体
２、３            脚部
４                幕板
５                天板
６                閉塞部材
７                取付部材
８                開口部
９                配線ダクト
１０              軟質部
１１              硬質部
１２              嵌合溝
１３              コード類
１４              ガイド部材
１５              ネジ
１６              凹溝
１７              湾曲片
１８              水平片
１９              垂直片
２０              保持部
２１ａ、２１ｂ    突起条
２２ａ、２２ｂ    突起条
２３、２４        係合片
２５              段部
２６              閉塞部材
２７              取付部材
２８              幕板
２９              軟質部
３０              空洞
【図１】
2004283250.tif 000003
【図２】
2004283250.tif 000004
【図３】
2004283250.tif 000005
【図４】
2004283250.tif 000006
【図５】
2004283250.tif 000007